(57)【要約】【課題】搬送物を収容した搬送容器がその外部から衝撃力を与えられた場合に、搬送容器の外部側から搬送物に向う衝撃力がより確実に緩和されるようにして、衝撃力による搬送物の損傷がより確実に防止されるようにする。また、上記のように衝撃力による搬送物の損傷をより確実に防止させるようにした場合でも、搬送容器の取り扱い作業が容易にできるようにする。【解決手段】内部に搬送物２を収容可能とする収容空間３を有した緩衝式搬送容器であって、この搬送容器１が、収容空間３を取り囲んで搬送容器１の外壁を成形するエアーマット５と、収容空間３に配置され互いに対面して各外縁部６がエアーマット５に支持される少なくとも一対のシート７，８とを備える。これら両シート７，８の間に搬送物２を挟み付け可能にすると共に、挟み付けられた搬送物２が両シート７，８を介しエアーマット５に支持されるようにする。【選択図】　　図１
2004042979.tif 000002
【特許請求の範囲】
【請求項１】
内部に搬送物を収容可能とする収容空間を有した緩衝式搬送容器であって、
上記収容空間を取り囲んで上記搬送容器の外壁を成形するエアーマットと、上記収容空間に配置され互いに対面して各外縁部が上記エアーマットに支持される少なくとも一対のシートとを備え、これら両シートの間に上記搬送物を挟み付け可能にすると共に、挟み付けられた搬送物が上記両シートを介し上記エアーマットに支持されるようにした緩衝式搬送容器。
【請求項２】
上記エアーマットに形成されこのエアーマットに空気を出し入れ可能にする空気出入口と、この空気出入口を開閉自在に閉じる開閉弁とを備えた請求項１に記載の緩衝式搬送容器。
【請求項３】
上記エアーマットが、それぞれ枠形状をなしその内部空間が互いに隣接して上記収容空間を形成するようある一方向に向って積み重ねられる複数のマット部材を備え、これらマット部材を解除可能に互いに連結させる連結具を備えた請求項１、もしくは２に記載の緩衝式搬送容器。
【請求項４】
上記シートの外縁部を上記マット部材の上記一方向における端部外面に固着した請求項３に記載の緩衝式搬送容器。
【請求項５】
上記連結具が、上記各マット部材を取り出し可能に収容させることにより、これらマット部材を互いに連結させる箱体を備えた請求項３、もしくは４に記載の緩衝式搬送容器。
【請求項６】
上記収容空間の上記一方向における各端部の開口を閉じる保護パネルを備えた請求項３から５のうちいずれか１つに記載の緩衝式搬送容器。
【発明の詳細な説明】
【０００１】
【発明が属する技術分野】
本発明は、内部に搬送物を収容可能とする収容空間を有した搬送容器に関するもので、より具体的には、搬送中などに、搬送容器にその外部から与えられた衝撃力が上記搬送物に伝わろうとするとき、この衝撃力を緩和するようにした緩衝式搬送容器に関するものである。
【０００２】
【従来の技術】
上記緩衝式搬送容器には、従来、次のように構成されたものがある。
【０００３】
即ち、第１の従来の技術として、上記搬送容器が搬送物用の収容空間を取り囲んで上記搬送容器の外壁を形成するダンボール製の箱体と、上記搬送物の外面と、箱体の内面との間に介設される発砲スチロールなどの緩衝材とを備えている。
【０００４】
そして、上記搬送物を収容した搬送容器の搬送中に、搬送容器にその外部から与えられた衝撃力が上記搬送物に伝わろうとするとき、この衝撃力は、上記緩衝材が弾性変形することにより緩和され、もって、上記衝撃力により搬送物が損傷させられる、ということが防止される。
【０００５】
また、第２の従来の技術として、上記搬送容器が、内部に搬送物を収容可能とする収容空間を有したエアーマットを備え、その外部から与えられて上記搬送物に伝わろうとする衝撃力は、上記エアーマットが弾性変形することにより緩和され、もって、上記衝撃力により搬送物が損傷させられる、ということが防止されている。
【０００６】
【発明が解決しようとする課題】
ところで、上記第１の従来の技術では、搬送容器が、その外部から衝撃力を与えられたとき、この衝撃力は上記箱体ではほとんど緩和されないで上記緩衝材に伝えられ、ここで始めて緩和される。
【０００７】
このため、上記箱体の内面に上記搬送物の一部分が接近していることにより、上記緩衝材が薄い層になっている場合には、上記衝撃力の緩和が不十分となって、上記搬送物の一部分に衝撃力が大きいままで伝えられ、もって、この搬送物が損傷するおそれを生じる。
【０００８】
また、上記緩衝材は、これの緩衝効果を向上させようとして弾性変形量を大きくさせれば、これに伴い体積も大きくなる。このため、上記搬送容器により搬送物を搬送させようとする時に、箱体に上記緩衝材を充填する作業や、搬送の終了時に不要になった上記緩衝材を廃棄処理する作業など、搬送容器の取り扱い作業は、上記したように緩衝材の体積が大きい分、煩雑になりがちである。
【０００９】
また、上記第２の従来の技術では、上記エアーマットにより衝撃力をより効果的に緩和させようとすれば、このエアーマットの内圧を低くして、弾性変形量を大きくさせればよい。しかし、このようにすると、エアーマットが柔らかくなって、一定形状に保持させ難くなり、これは搬送容器の搬送作業を煩雑にさせるものであって好ましくない。
【００１０】
そこで、上記エアーマットの内圧を大きくして、これの弾性変形量を小さくさせることが考えられるが、このようにすると、このエアーマットの剛性が大きくなって、衝撃力の緩和が効果的にはできなくなるおそれを生じる。
【００１１】
本発明は、上記のような事情に注目してなされたもので、搬送物を収容した搬送容器がその外部から衝撃力を与えられた場合に、上記搬送容器の外部側から上記搬送物に向う衝撃力がより確実に緩和されるようにして、衝撃力による搬送物の損傷がより確実に防止されるようにすることを課題とする。
【００１２】
また、上記のように衝撃力による搬送物の損傷をより確実に防止させるようにした場合でも、搬送容器の取り扱い作業が容易にできるようにすることを課題とする。
【００１３】
【課題を解決するための手段】
上記課題を解決するための本発明の緩衝式搬送容器は、次の如くである。なお、この項において各用語に付記した符号は、本発明の技術的範囲を後述の「発明の実施の形態」の項の内容に限定解釈するものではない。
【００１４】
請求項１の発明は、内部に搬送物２を収容可能とする収容空間３を有した緩衝式搬送容器であって、
【００１５】
上記収容空間３を取り囲んで上記搬送容器１の外壁を成形するエアーマット５と、上記収容空間３に配置され互いに対面して各外縁部６が上記エアーマット５に支持される少なくとも一対のシート７，８とを備え、これら両シート７，８の間に上記搬送物２を挟み付け可能にすると共に、挟み付けられた搬送物２が上記両シート７，８を介し上記エアーマット５に支持されるようにしたものである。
【００１６】
請求項２の発明は、請求項１の発明に加えて、上記エアーマット５に形成されこのエアーマット５に空気を出し入れ可能にする空気出入口１４と、この空気出入口１４を開閉自在に閉じる開閉弁１５とを備えたものである。
【００１７】
請求項３の発明は、請求項１、もしくは２の発明に加えて、上記エアーマット５が、それぞれ枠形状をなしその内部空間が互いに隣接して上記収容空間３を形成するようある一方向Ａに向って積み重ねられる複数のマット部材１８を備え、これらマット部材１８を解除可能に互いに連結させる連結具１９を備えたものである。
【００１８】
請求項４の発明は、請求項３の発明に加えて、上記シート７，８の外縁部６を上記マット部材１８の上記一方向Ａにおける端部外面２１に固着したものである。
【００１９】
請求項５の発明は、請求項３、もしくは４の発明に加えて、上記連結具１９が、上記各マット部材１８を取り出し可能に収容させることにより、これらマット部材１８を互いに連結させる箱体２５を備えたものである。
【００２０】
請求項６の発明は、請求項３から５のうちいずれか１つの発明に加えて、上記収容空間３の上記一方向Ａにおける各端部の開口を閉じる保護パネル３２を備えたものである。
【００２１】
【発明の実施の形態】
以下、本発明の実施の形態を図面により説明する。
【００２２】
図において、符号１は緩衝式の搬送容器である。
【００２３】
上記搬送容器１は、内部に搬送物２を収容可能とする収容空間３を有している。上記搬送物２は、主に、外部から衝撃力を与えられると損傷し易い物品（易損物品）であり、例えば、パソコンなど精密機器や部品、また、陶器、美術品などである。
【００２４】
上記搬送容器１は、上記収容空間３を取り囲んで上記搬送容器１の外壁を成形する弾性のエアーマット５と、上記収容空間３に配置され互いに対面して各外縁部６が上記エアーマット５に支持される少なくとも一対のシート７，８とを備えている。
【００２５】
上記エアーマット５は、全体として軸心１１が一方向Ａであるほぼ鉛直方向に延びる筒形状をなし、その断面は矩形状とされている。上記エアーマット５の軸方向の中途部に上記各シート７，８の外縁部６が支持されており、これら両シート７，８は、その自由状態で、図１，３中二点鎖線で示すように、上記軸心１１にほぼ直行する方向で互いにほぼ平行に平坦に延びている。
【００２６】
上記エアーマット５は上記シート７，８に比べて伸縮性の少ないビニールシート材など非通気性シート材で成形され、その内部に空気が所定圧で充填されて上記した筒形状に保持されている。また、上記各シート７，８は弾性変形可能な樹脂やゴム製シート材で成形され、これらシート材も非通気性とされている。
【００２７】
上記エアーマット５と両シート７，８のうち、これら両シート７，８の互いの対向面にのみ接するように、これら両シート７，８の間に上記搬送物２が挟み付け可能とされている。
【００２８】
そして、上記搬送物２を挟み付けた上記各シート７，８は、それぞれ弾性変形を伴いながら上記エアーマット５の軸方向で上記搬送物２を圧接状に挟み付けている。この場合、凹面状に弾性変形した各シート７，８の内部に、上記搬送物２の上記軸方向における各端部が嵌入されて、この搬送物２が収容空間３の所定位置に位置決めされ、もって、上記搬送物２は上記両シート７，８を介し上記収容空間３の所定位置に宙吊り状となるよう上記エアーマット５に支持されている。
【００２９】
上記搬送容器１は、上記エアーマット５に形成されこのエアーマット５にその外部から加圧空気を出し入れ可能にする空気出入口１４と、この空気出入口１４を手作業で開閉自在に閉じる開閉弁１５とを備えている。上記空気出入口１４と開閉弁１５とを通し上記エアーマット５に加圧空気を充填すれば、このエアーマット５が上記筒形状とされる。一方、上記空気出入口１４と開閉弁１５とを通し、エアーマット５内の空気を外部に排出させれば、このエアーマット５は平坦なシート状に畳まれて、小形にすることができ、このエアーマット５の搬送など、このエアーマット５の取り扱い作業が容易にできる。また、上記エアーマット５内の空気圧は調整自在とされている。
【００３０】
上記エアーマット５は、それぞれ矩形の枠形状をなしその内部空間が上記一方向Ａで互いに隣接して上記収容空間３を形成するよう上記一方向Ａに向って積み重ねられる複数（３つ）のマット部材１８を備えている。これら各マット部材１８は軸心１１回りの各部断面がほぼ一定とされるチューブ形状とされ、各マット部材１８は互いに同形同大とされている。また、上記搬送容器１は、上記各マット部材１８を解除可能に互いに連結させる連結具１９を備えている。
【００３１】
上記各マット部材１８は、前記ビニールシート材を平坦な所定の枠形状に切断して、互いに熱溶着や接着などの結合手段２０により互いに結合させて成形したもので、その内部に空気が所定圧で充填されることにより、上記した枠形状となるように成形される。また、上記各マット部材１８にはそれぞれ前記空気出入口１４と開閉弁１５とが設けられている。
【００３２】
上記各シート７，８の外縁部６は、上記マット部材１８の上記一方向Ａにおける端部外面２１に熱溶着や接着などの固着手段２２により固着されている。
【００３３】
上記連結具１９は、上記エアーマット５が備える各マット部材１８をそれぞれ取り出し可能に収容させる箱体２５を備えている。上記一方向Ａで上記各マット部材１８を積み重ねるようこれらマット部材１８を上記箱体２５に収容させれば、これら各マット部材１８が上記箱体２５の内面に圧接もしくは接合して、互いの位置決めが自動的になされると共に、上記各マット部材１８が一方向Ａで互いに圧接もしくは接合させられることにより、互いに連結されて、エアーマット５が自動的に成形される。
【００３４】
上記箱体２５内に各マット部材１８を順次収容させる途中で、上記両シート７，８の間に搬送物２を介在させれば、上記したエアーマット５の成形時に、上記搬送物２が搬送容器１に収容されて、各シート７，８を介しエアーマット５に支持される。
【００３５】
上記箱体２５は、上記一方向Ａにおける一方側（上方）に向って開口し上記のように各マット部材１８を収容する直方体形状のダンボール製の箱体本体２６と、この箱体本体２６の開口縁から延出して、この箱体本体２６の開口を開閉自在（図１中二点鎖線、実線）に閉じる複数（一対）の蓋体２７と、この蓋体２７が上記箱体本体２６の開口を閉じたままの状態（図１，２中実線）に、保持可能とするバックル式のバンド２８とを備えている。
【００３６】
また、上記箱体本体２６を構成する各側板２９の互いの結合部には不図示のファスナーが設けられており、このファスナーにより、上記箱体本体２６内の深さ寸法が調整自在とされている。
【００３７】
そして、上記蓋体２７内の深さ寸法が、上記エアーマット５の一方向Ａにおける全長とほぼ合致させられて、このエアーマット５が上記蓋体２７内に収容される。これにより、上記エアーマット５の各外面が上記箱体２５の内面に圧接もしくは接合させられてがたつきなく収容される。
【００３８】
上記マット部材１８群の上記一方向Ａにおける各端面と、これら各端面に対面する上記箱体２５の各内面との間に保護パネル３２が挿抜自在に、かつ、圧接状に介設されている。この保護パネル３２は、上記収容空間３の上記一方向Ａにおける各端部の開口３３を閉じている。
【００３９】
上記保護パネル３２は、上記一方向Ａに直行する方向に並設される複数枚（３枚）の剛性のある樹脂製パネル材３５と、これらパネル材３５を互いに連結させる可撓性の接着テープ３６とを備えている。上記保護パネル３２の面積を大きくさせるときは、上記パネル材３５の枚数を増加させればよく（図５中、一点鎖線）、つまり、上記保護パネル３２はその面積の大きさが調整自在とされている。
【００４０】
また、上記保護パネル３２は、上記パネル材３５のうち、端部に位置するパネル材３５を上記接着テープ３６の屈曲により、上記一方向Ａに沿うように配置してもよく（図５中、二点鎖線）、このようにして、上記保護パネル３２の形状が種々選択可能とされている。
【００４１】
上記構成によれば、収容空間３を取り囲んで上記搬送容器１の外壁を成形するエアーマット５と、上記収容空間３に配置され互いに対面して各外縁部６が上記エアーマット５に支持される少なくとも一対のシート７，８とを備え、これら両シート７，８の間に上記搬送物２を挟み付け可能にすると共に、挟み付けられた搬送物２が上記両シート７，８を介し上記エアーマット５に支持されるようにしてある。
【００４２】
このため、搬送物２を収容した搬送容器１の搬送中など、この搬送容器１にその外部から衝撃力が与えられた場合、上記搬送容器１の外壁はエアーマット５で成形されていることから、上記衝撃力はこのエアーマット５の弾性により吸収されて緩和される。
【００４３】
次に、上記衝撃力は、上記エアーマット５から上記各シート７，８を通って上記搬送物２に伝わろうとするが、この際、上記衝撃力は上記シート７，８が撓むことにより吸収されて緩和される。
【００４４】
よって、上記搬送容器１の外部側から上記搬送物２に向う衝撃力はより確実に緩和されて、衝撃力による搬送物２の損傷はより確実に防止される。
【００４５】
しかも、上記の場合、搬送物２は、上記エアーマット５と両シート７，８のうち、これらシート７，８にのみ接合するようにこれらシート７，８に挟み付けられている。このため、上記エアーマット５から直接に上記搬送物２に衝撃力が向うことは防止される。よって、上記衝撃力による搬送物２の損傷は更に確実に防止される。
【００４６】
また、上記各シート７，８は弾性を有しており、このため、これらシート７，８の弾性変形により上記衝撃力は更に確実に緩和される。よって、上記衝撃力による搬送物２の損傷は更に確実に防止される。
【００４７】
また、上記エアーマット５は、その内部に空気が充填されたものであるため、このエアーマット５の不使用時や、搬送物２の搬送の終了に伴う搬送容器１の廃棄処理時には、上記エアーマット５から空気を排出させることによりこのエアーマット５を極めて小形にすることができる。
【００４８】
よって、上記エアーマット５を小形にできる分、搬送容器１の取り扱い作業が容易にできる。
【００４９】
また、前記したように、エアーマット５に形成されこのエアーマット５に空気を出し入れ可能にする空気出入口１４と、この空気出入口１４を開閉自在に閉じる開閉弁１５とを備えている。
【００５０】
このため、上記エアーマット５の使用、不使用時において、このエアーマット５に対する空気の出し入れは、上記空気出入口１４と開閉弁１５とを通して容易にすることができ、よって、この点でも、上記搬送容器１の取り扱い作業が容易にできる。
【００５１】
また、上記エアーマット５に対する空気の出し入れは、上記開閉弁１５を開閉させることにより、エアーマット５を損傷させることなくできて、このエアーマット５の使用が繰り返し可能となりる。よって、エアーマット５を使い捨てにすることに比べて、無用な廃棄物の発生が防止される。
【００５２】
また、前記したように、エアーマット５が、それぞれ枠形状をなしその内部空間が互いに隣接して上記収容空間３を形成するようある一方向Ａに向って積み重ねられる複数のマット部材１８を備え、これらマット部材１８を解除可能に互いに連結させる連結具１９を備えている。
【００５３】
このため、上記エアーマット５を構成するマット部材１８の数の増減が可能であり、つまり、上記搬送物２の一方向Ａでの長さに合致するよう収容空間３の長さが調整可能とされる。
【００５４】
よって、各種形状の搬送物２を搬送容器１により搬送しようとする場合に、各種形状の搬送物２への搬送容器１の適用の自由度が向上する分、この搬送容器１の管理が容易になるなど、その取り扱い作業が更に容易となる。
【００５５】
また、上記マット部材１８のいずれかが破損した場合には、そのマット部材１８だけを新しいものに交換することができ、つまり、上記エアーマット５の全体を交換することは不要であることから、その分、無用な廃棄物の発生を防止できる。
【００５６】
また、前記したように、上記シート７，８の外縁部６を上記マット部材１８の上記一方向Ａにおける端部外面２１に固着してある。
【００５７】
このため、上記両シート７，８が搬送物２を挟み付けて、この搬送物２をマット部材１８に支持させたとき、上記各シート７，８にはその面方向に向う引張応力が生じるが、この引張応力は上記シート７，８の外縁部６と、マット部材１８の端部外面２１との固着部のほぼ全体で強固に支持される。
【００５８】
よって、上記マット部材１８の外面のうち、仮に、上記一方向Ａに沿った外面に上記シート７，８の外縁部６を固着させると、上記引張応力によって、この固着部で剥れが生じやすくなるが、これに比べて、上記シート７，８によれば、搬送物２の支持がより強固になされ、その分、搬送物２の無意図的な損傷がより確実に防止される。
【００５９】
また、前記したように、連結具１９が、上記各マット部材１８を取り出し可能に収容させることにより、これらマット部材１８を互いに連結させる箱体２５を備えている。
【００６０】
このため、上記各マット部材１８の連結によるエアーマット５の成形は、上記各マット部材１８を上記箱体２５に単に収容させることで達成される。
【００６１】
よって、搬送容器１により搬送物２を搬送しようとして、搬送容器１を成形する場合の成形作業が容易にできる。
【００６２】
また、上記各マット部材１８は箱体２５により覆われて、外力から保護されるため、上記各マット部材１８の損傷が防止され、この結果、搬送物２の損傷が防止される。
【００６３】
また、前記したように、マット部材１８群の上記一方向Ａにおける各端面と、これら各端面に対面する上記箱体２５の各内面との間に介設され上記収容空間３の上記一方向Ａにおける各端部の開口を閉じる保護パネル３２を備えている。
【００６４】
このため、上記搬送容器１の外方から上記収容空間３の開口３３を通し上記搬送物２に外力が与えられようとするとき、これは、上記保護パネル３２によって防止される。よって、上記搬送物２の損傷がより確実に防止される。
【００６５】
また、上記箱体２５は、上記各保護パネル３２により補強されることとなって、所定形状に、より確実に保持される。よって、搬送容器１の取り扱い作業がし易くなって、この搬送容器１の搬送がより容易となる。
【００６６】
なお、以上は図示の例によるが、上記エアーマット５は、上記各マット部材１８を互いに一体成形したものでもよく、内部の密閉空間が単一となるよう一体成形される円筒などの筒形状としてもよく、有底であってもよい。また、上記マット部材１８の個数は４つ以上であってもよい。また、上記エアーマット５や各マット部材１８は、スポンジ状のものであってもよい。また、上記各エアーマット５や各マット部材１８は、上記軸心１１回りの各部断面を一定にしなくてもよい。
【００６７】
また、上記シート７，８は、その外縁部６を剛性の枠体に取り付けて、一方向Ａで隣り合う両マット部材１８の間に単に挟み付けることにより、上記エアーマット５に支持させてもよい。また、上記シート７，８の厚さや強度等は互いに相違させてもよく、３枚以上設けてもよい。また、上記シート７，８には貫通孔を成形してもよい。
【００６８】
また、上記空気出入口１４と開閉弁１５とは、一方向Ａで隣り合う両マット部材１８，１８の間に挟み付けるようにしてもよく、このようにすれば、上記開閉弁１５が不意に開くということが防止されて、上記各マット部材１８が所定形状により確実に保持される。
【００６９】
また、上記連結具１９は単なるバンドであってもよく、上記マット部材１８群を全体的に覆うキャンバス布地製の連結シートであってもよい。
【００７０】
また、上記保護パネル３２はゴム製などの弾性板であってもよい。
【００７１】
【発明の効果】
本発明による効果は、次の如くである。
【００７２】
請求項１の発明は、内部に搬送物を収容可能とする収容空間を有した緩衝式搬送容器であって、
【００７３】
上記収容空間を取り囲んで上記搬送容器の外壁を成形するエアーマットと、上記収容空間に配置され互いに対面して各外縁部が上記エアーマットに支持される少なくとも一対のシートとを備え、これら両シートの間に上記搬送物を挟み付け可能にすると共に、挟み付けられた搬送物が上記両シートを介し上記エアーマットに支持されるようにしてある。
【００７４】
このため、搬送物を収容した搬送容器の搬送中など、この搬送容器にその外部から衝撃力が与えられた場合、上記搬送容器の外壁はエアーマットで成形されていることから、上記衝撃力はこのエアーマットの弾性により吸収されて緩和される。
【００７５】
次に、上記衝撃力は、上記エアーマットから上記各シートを通って上記搬送物に伝わろうとするが、この際、上記衝撃力は上記シートが撓むことにより吸収されて緩和される。
【００７６】
よって、上記搬送容器の外部側から上記搬送物に向う衝撃力はより確実に緩和されて、衝撃力による搬送物の損傷はより確実に防止される。
【００７７】
また、上記エアーマットは、その内部に空気が充填されたものであるため、このエアーマットの不使用時や、搬送物の搬送の終了に伴う搬送容器の廃棄処理時には、上記エアーマットから空気を排出させることによりこのエアーマットを極めて小形にすることができる。
【００７８】
よって、上記エアーマットを小形にできる分、搬送容器の取り扱い作業が容易にできる。
【００７９】
請求項２の発明は、上記エアーマットに形成されこのエアーマットに空気を出し入れ可能にする空気出入口と、この空気出入口を開閉自在に閉じる開閉弁とを備えている。
【００８０】
このため、上記エアーマットの使用、不使用時において、このエアーマットに対する空気の出し入れは、上記空気出入口と開閉弁とを通して容易にすることができ、よって、この点でも、上記搬送容器の取り扱い作業が容易にできる。
【００８１】
また、上記エアーマットに対する空気の出し入れは、上記開閉弁を開閉させることにより、エアーマットを損傷させることなくできて、このエアーマットの使用が繰り返し可能となる。よって、エアーマットを使い捨てにすることに比べて、無用な廃棄物の発生が防止される。
【００８２】
請求項３の発明は、上記エアーマットが、それぞれ枠形状をなしその内部空間が互いに隣接して上記収容空間を形成するようある一方向に向って積み重ねられる複数のマット部材を備え、これらマット部材を解除可能に互いに連結させる連結具を備えている。
【００８３】
このため、上記エアーマットを構成するマット部材の数の増減が可能であり、つまり、上記搬送物の一方向での長さに合致するよう収容空間の長さが調整可能とされる。
【００８４】
よって、各種形状の搬送物を搬送容器により搬送しようとする場合に、各種形状の搬送物への搬送容器の適用の自由度が向上する分、この搬送容器の管理が容易になるなど、その取り扱い作業が更に容易となる。
【００８５】
また、上記マット部材のいずれかが破損した場合には、そのマット部材だけを新しいものに交換することができ、つまり、上記エアーマットの全体を交換することは不要であることから、その分、無用な廃棄物の発生を防止できる。
【００８６】
請求項４の発明は、上記シートの外縁部を上記マット部材の上記一方向における端部外面に固着してある。
【００８７】
このため、上記両シートが搬送物を挟み付けて、この搬送物をマット部材に支持させたとき、上記各シートにはその面方向に向う引張応力が生じるが、この引張応力は上記シートの外縁部と、マット部材の端部外面との固着部のほぼ全体で強固に支持される。
【００８８】
よって、上記マット部材の外面のうち、仮に、上記一方向に沿った外面に上記シートの外縁部を固着させると、上記引張応力によって、この固着部で剥れが生じ易くなるが、これに比べて、上記シートによれば、搬送物の支持がより強固になされ、その分、搬送物の無意図的な損傷がより確実に防止される。
【００８９】
請求項５の発明は、上記連結具が、上記各マット部材を取り出し可能に収容させることにより、これらマット部材を互いに連結させる箱体を備えている。
【００９０】
このため、上記各マット部材の連結によるエアーマットの成形は、上記各マット部材を上記箱体に単に収容させることで達成される。
【００９１】
よって、搬送容器により搬送物を搬送しようとして、搬送容器を成形する場合の成形作業が容易にできる。
【００９２】
また、上記各マット部材は箱体により覆われて、外力から保護されるため、上記各マット部材の損傷が防止され、この結果、搬送物の損傷が防止される。
【００９３】
請求項６の発明は、上記収容空間の上記一方向における各端部の開口を閉じる保護パネルを備えている。
【００９４】
このため、上記搬送容器の外方から上記収容空間の開口を通し上記搬送物に外力が与えられようとするとき、これは、上記保護パネルによって防止される。よって、上記搬送物の損傷がより確実に防止される。
【図面の簡単な説明】
【図１】搬送容器の全体側面断面図である。
【図２】搬送容器の平面部分破断図である。
【図３】図１の部分拡大断面図である。
【図４】搬送容器の展開斜視図である。
【図５】保護パネルの斜視図である。
【符号の説明】
１　　　搬送容器
２　　　搬送物
３　　　収容空間
５　　　エアーマット
６　　　外縁部
７　　　シート
８　　　シート
１１　　軸心
１４　　空気出入口
１５　　開閉弁
１８　　マット部材
１９　　連結具
２０　　結合手段
２１　　端部外面
２５　　箱体
３２　　保護パネル
３３　　開口
Ａ　　　一方向
【図１】
2004042979.tif 000003
【図２】
2004042979.tif 000004
【図３】
2004042979.tif 000005
【図４】
2004042979.tif 000006
【図５】
2004042979.tif 000007